(57)【要約】【課題】  必要とする用途の使用具を探し回ることなく、少なくとも２種類の保持具をそれぞれ準備する必要もなくて収納スペースも小さくなり、かつ日常の携帯にも優れ、また、製作費用を安価にすることができる複合保持具を提供すること。【解決手段】  異種または同種の用途に使用される媒体をそれぞれ保持した複数の保持体を結合したことを特徴とする複合保持具や前記複数の保持体を互いに連結部材を介して着脱可能に結合されている複合保持具。【選択図】  図１
2006116749.tif 000002
【特許請求の範囲】
【請求項１】
異種または同種の用途に使用される媒体をそれぞれ保持した複数の保持体を結合したことを特徴とする複合保持具。
【請求項２】
前記複数の保持体を互いに連結部材を介して着脱可能に結合されている請求項１記載の複合保持具。
【請求項３】
前記保持体が結合する結合部の形状が共通している請求項１または２記載の複合保持具。
【請求項４】
前記媒体が、筆記具、固形のり、液状のり、消しゴム、修正液、修正ペン、蛍光ペン、塗膜転写具、カッター、定規等の文房具、印鑑、スタンプ等の事務用品、リップクリーム、耳かき等の衛生用品、ミニブラシ、小物入れケース、ペンライト等の日用品、口紅、アイペンシル、アイブローペンシル、アイシャドーアプリケーター、リップライナ等の化粧用品、ドライバー、六角レンチ、キリ等の携帯工具、スタイラスペン等のパソコン入力用品や接着剤等から選択されたものである請求項１〜３のいずれか１項に記載の複合保持具。
【請求項５】
前記媒体が、塗膜転写具と塗膜転写具以外の媒体または前記塗膜転写具と異なる塗膜転写具である請求項１〜４のいずれか１項に記載の複合保持具。
【発明の詳細な説明】
【技術分野】
【０００１】
本発明は、ペン、消しゴム、文字修正用塗膜、接着用粘着塗膜、装飾用塗膜、蛍光テープを含むマーキング用塗膜等を被転写体に押圧転写する塗膜転写具等の文房具、印鑑等の事務用品、リップクリーム等の衛生用品、ミニブラシ等の日用品、口紅等の化粧用品、ドライバー等の携帯工具、スタイラスペン等のパソコン入力用品等を保持する複数の保持体を選択的に使用可能とする複合保持具に関する。
【背景技術】
【０００２】
従来から複合保持具として、塗膜転写具とボールペンのような筆記具とを一体化した筆記具一体型塗膜転写具が開発されている。例えば特許文献１には塗膜転写具と筆記具とを互いに着脱可能に一体化した筆記具一体型塗膜転写具が開示されている。また、特許文献２には交換式塗膜転写具と筆記具とを着脱可能に一体化した筆記具一体型塗膜転写具が開示されている。特許文献３には複数の交換用塗膜転写具が直列状に中空軸体内に連結配列収納され、その中空軸体内には鉛筆や消しゴム等も直列状に配列収納可能となる塗膜転写具が開示されている。この様に例えば修正テープを備えた塗膜転写具と筆記具等とを結合して一体化された複合保持具はいろいろ考えられている。
【０００３】
さらに、特許文献４には筆記具のケーシング内に複数のペンを保持する保持体を収納し、必要とするペンをケーシングの先端から選択的に出退する複合保持具が開示されており、同保持具の保持体には固形糊、消しゴム、口紅、スタイラスペン等も用いることができることが開示されている。
【０００４】
【特許文献１】特開２００３−２８５５９８号公報
【特許文献２】特開２００４−７４４７０号公報
【特許文献３】実用新案登録第３１０３２０１号公報
【特許文献４】特開２００２−２００８８５号公報
【発明の開示】
【発明が解決しようとする課題】
【０００５】
しかし、このように塗膜転写具と筆記具を結合して一体化した複合保持具は、筆記用途にしか使用できず、それ以外の用途では別に必要とする媒体を探し回ったり、筆記具一体型塗膜転写具とは別の種類の保持具を準備する必要があり、その場合、ペンケースやポケット等に少なくとも２種類の保持具を収納する必要が生じ、ほぼ２本分の収納スペースも必要になるという問題が生じる。また、複数の保持体がケーシング内に収納されている複合保持具は、必要とする保持体をいちいちケーシング内を移動させてケーシング先端開口から出退させる複雑な機構が必要であり、製作費用も高くなるという問題もある。
【０００６】
本発明は、上述した問題に鑑み、必要とする用途の媒体を探し回ることもなく、少なくとも２種類の保持具をそれぞれ準備する必要もなくて収納スペースも小さくなり、日常の携帯にも優れ、また、製作費用が安価になる複合保持具を提供することを目的とする。
【課題を解決するための手段】
【０００７】
上記目的を達成するために、本発明は、異種または同種の用途に使用される媒体をそれぞれ保持した複数の保持体を結合したことを特徴とする複合保持具である。
【０００８】
また、前記複数の保持体を互いに連結部材を介して着脱可能に結合されている複合保持具でもある。
【０００９】
更に、前記保持体が結合する結合部の形状が共通している複合保持具でもある。
これらの前記媒体が、筆記具、固形のり、液状のり、消しゴム、修正液、修正ペン、蛍光ペン、塗膜転写具、カッター、定規等の文房具、印鑑、スタンプ等の事務用品、リップクリーム、耳かき等の衛生用品、ミニブラシ、小物入れケース、ペンライト等の日用品、口紅、アイペンシル、アイブローペンシル、アイシャドーアプリケーター、リップライナ等の化粧用品、ドライバー、六角レンチ、キリ等の携帯工具、スタイラスペン等のパソコン入力用品や接着剤等から選択されたものである複合保持具でもって、この課題を解決した。
【発明の効果】
【００１０】
本発明によれば、異種または同種の用途で必要とする媒体を保持した保持体が互いに結合された複合保持具であるので、必要とする用途の媒体を探し回る必要もなく、複数の保持具をそれぞれ準備する必要もなくなるので収納スペースが小さくでき、日常の携帯にも優れている。また、必要とする保持体同士または連結部材を介して単に結合されているだけであるから製作費用は安価になる。
【００１１】
また、必要とする用途が異なっても、それぞれの保持体が結合する結合部の形状が共通しているので、すでに用済みの媒体を新たに必要となった媒体に交換する際、ケーシングを開口することなく、直接手で保持体を取りはずし、新たな保持体を同じ所に取り付けるだけで即交換が終了し、必要とする媒体を確実、容易に交換することができる。
【発明を実施するための最良の形態】
【００１２】
本発明の媒体を保持した複合保持具の実施形態を図面に基づいて説明する。図１は本発明の複合保持具である。図１に示すように、本実施形態の複合保持具１は、胸ポケットに挟むことができるクリップ７を備えた細長いほぼ円筒状に形成された連結部材４を介して、例えば、文字修正用塗膜を５ｍｍ幅の基材テープに塗布された転写テープ（以下、５ｍｍ用修正テープという）を備えた塗膜転写具５と同様に３ｍｍ用修正テープを備えた塗膜転写具６とが結合されている場合について説明する。連結部材４の両端の一端には５ｍｍ用修正テープを備えた塗膜転写具５が結合されており、その結合方法は、連結部材４の両端に２カ所づつ計４カ所の矩形状の切り欠きを設け、その切り欠きの上下内面に凹形状の結合部材が備えられており、この結合部材と塗膜転写具５の保持体３の両側面に設けられた結合部に備えられた弾性変形可能な凸形状の結合部材１６とが結合されている。また、同様に他端には３ｍｍ用修正テープを備えた塗膜転写具６の保持体３の結合部に設けられた弾性変形可能な凸形状の結合部材とも結合されている。そうすれば、書面の修正文字の大きさによって、修正テープ幅が異なる修正テープを単に複合保持具をひっくり返して持ち替えるだけで訂正でき、また、修正文字の大きさと修正テープ幅とが適合しているので、修正を要しない行の文字まで修正されることを防止できる。別の実施例として、塗膜転写具５と印鑑（図示せず）とが結合されていれば、事務処理の際、書面の文字訂正をしながら、他の書面の捺印も可能となる。
【００１３】
もちろん、それぞれの媒体２を保持する保持体３の結合部の形状を共通にしておけば、同種または異種の媒体２を保持した保持体３同士でもそのまま簡単に連結部材４に結合できる。例えば、３ｍｍ用修正テープ塗膜転写具６の代わりに５ｍｍ用修正テープ塗膜転写具５を差し替えるだけで簡単に交換することが可能となったり、あるいは塗膜転写具５と印鑑のように異種の媒体２を保持した保持体３であっても連結部材４を介して互いに結合させることもでき、どの様な媒体２の保持体３でも連結部材４を介して結合が可能となる。
【００１４】
逆に連結部材４両端部の結合部の形状がそれぞれ異なれば、互いに結合し合う形状を備えた保持体３の結合部材しか結合することができないので、間違った媒体２を結合することを防止できる。
【００１５】
それぞれの媒体２を保持する保持体３の結合部は１カ所でなく２カ所以上設けて、各結合部の形状を異ならしてもよく、また各結合部は平面的に設けても立体的に設けてもよい。連結部材４の結合部も２カ所以上設けてもよく、形状も連結部材４自身円盤状、扇形状や球状、半球状でもよい。
【００１６】
各保持体３の結合部の形状は、弾性変形可能な凹凸、ネジ、穴や溝と掛止するフック形状であったり、磁石による係合であってもよく、またそれらの組み合わせであってもよい。互いの保持体３や保持体３と連結部材４同士が簡単に着脱できる構成であればよい。
【００１７】
各保持体３は別体のケーシング中に細長いボールペン芯タイプで収納して選択的にケーシング先端から出退するための機構を必要としないことから、製品の組立工数や部品点数が少なくなり安価に生産できる。
【００１８】
各媒体２を保持する方法は、プラスチック製カートリッジ内に収納されたり、媒体２を直接保持体３に嵌合、螺合、接合や一体化等で固定されればよい。
【００１９】
本実施例の塗膜転写具５、６は、図２に示すように２分割したケース１０とカバー１１、２つの支軸を備えたケース１０、ケース１０端部に設けられて先端に押圧転写部を備えた転写ヘッド１２、各支軸に回転可能に係合された繰り出しロール１３と巻取ロール１４、この繰り出しロール１３と巻取ロール１４を連動回転させる無端状のゴムベルト１５、および基材テープの片面に塗膜を備えた転写テープからなり、ケース１０はカバー１１で覆われている。繰り出しロール１３に巻回された転写テープは引き出され、転写ヘッド１２の押圧転写部で転写テープの塗膜を被転写体に押圧して転写し、転写後の基材テープを巻取ロール１４で巻き取るようになっている。この塗膜転写具５、６の転写ヘッド１２後方の両側面に矩形状に突出した結合部が設けられていて、この結合部には弾性変径可能な凸部が形成された結合部材１６が備えられている。また、結合する連結部材４の切り欠き形状の結合部には、この結合部材１６と嵌合できる凹み部が形成された結合部材が備えられている。
【００２０】
もちろん、複合保持具１には図１に示すように各媒体２を保護するキャップ８を設けてもよい。キャップ８と媒体２との間の係合は、単なる着脱式、ヒンジ式、スライド式等一般に知られた方式であればよい。押圧転写部の形状は、転写テープの幅方向から見て三角形または小さな円弧状であってもよい。
【００２１】
また、この塗膜転写具５、６はできる限り小型化する必要があるので、繰り出しロール１３と巻取ロール１４とを連動回転させる連動機構には、ギヤ式連動機構よりもコストが安価であり、両ロールの外径よりも小径で連動できる無端状のゴムベルト１５、例えばＯリングを使用している。しかし、ギヤ式連動機構であってもよいことはむろんである。
塗膜転写具５、６等の媒体２、保持体３、連結部材４は、塗膜転写具５、６内に収納される転写テープや媒体２が視認できるような透明、あるいは、半透明な樹脂で形成されるのが望ましいが、不透明な樹脂や一部紙等の材質で形成してもよく、その材質は限定されるものではない。
【図面の簡単な説明】
【００２２】
【図１】この発明の実施例である複合保持具の斜視図である。
【図２】この発明の実施例である塗膜転写具の斜視図である。
【符号の説明】
【００２３】
１  複合保持具
２  媒体
３  保持体
４  連結部材
５  修正テープ塗膜転写具（テープ幅５ｍｍ）
６  修正テープ塗膜転写具（テープ幅３ｍｍ）
７  クリップ
８  キャップ
１０  ケース
１１  カバー
１２  転写ヘッド
１３  繰り出しロール
１４  巻取ロール
１５  ゴムベルト
１６  結合部材
【図１】
2006116749.tif 000003
【図２】
2006116749.tif 000004